(57)【要約】【課題】開け方が分からない利用者には嵌合したチャック部同士を離間させて当該包装袋を開けることを出来なくし、開け方が分かる利用者には当該包装袋を開けさせる。【解決手段】後面フィルム３のチャック部５は、チャック用嵌合部５ｃにおける上側と下側とに、それぞれ、所定幅で後面フィルム３の両端部まで延びるチャック上側溶着部５ａとチャック下側溶着部５ｂとを設け、チャック上側溶着部５ａはその長手方向において所定長さだけ当該後面フィルム３の内側面３ａに溶着されないチャック側チャック側非溶着部分５ｄを有し、そのチャック側チャック側非溶着部分５ｄを除いて後面フィルム３の内側面３ａにその長手方向の両端部まで溶着される一方、チャック下側溶着部５ｂは後面フィルム３の内側面にその長手方向の両端部まで溶着され、前面フィルム２のチャック部４は、チャック用嵌合部４ｃの下側にのみチャック下側溶着部４ｂを設ける。【選択図】図３
2019026374.tif 000002
【特許請求の範囲】
【請求項１】
開口部近傍の前面フィルムと後面フィルムの対向する内側面にそれぞれチャック用嵌合部を有するチャック部を設け、各チャック部のチャック用嵌合部が離間および嵌合することにより開閉するチャック付き包装袋であって、
前面フィルムと後面フィルムの内、いずれか一方のフィルムのチャック部は、
前記チャック用嵌合部における開口部側である上側と底部側である下側とに、それぞれ、所定幅で当該一方のフィルムの両端部まで延びるチャック上側溶着部とチャック下側溶着部とを設け、前記チャック上側溶着部はその長手方向において所定長さだけ当該一方のフィルムの内側面に溶着されないチャック側非溶着部分を有し、そのチャック側非溶着部分を除いて当該一方のフィルムの内側面にその長手方向の両端部まで溶着される一方、前記チャック下側溶着部は当該一方のフィルムの内側面にその長手方向の両端部まで溶着され、
他方のフィルムのチャック部は、
前記チャック用嵌合部の下側にのみ、所定幅で当該他方のフィルムの両側まで延びるチャック下側溶着部を設け、当該チャック下側溶着部は当該他方のフィルムの内側面にその長手方向の両端部まで溶着される一方、前記チャック用嵌合部の上側には、所定幅で当該一方のフィルムの両側まで延びるチャック上側溶着部を設けないことを特徴とするチャック付き包装袋。
【請求項２】
開口部近傍の前面フィルムと後面フィルムの対向する内側面にそれぞれチャック用嵌合部を有するチャック部を設け、各チャック部のチャック用嵌合部が離間および嵌合することにより開閉するチャック付き包装袋であって、
前面フィルムと後面フィルムの内、いずれか一方のフィルムのチャック部は、
前記チャック用嵌合部における開口部側である上側と底部側である下側とに、それぞれ、所定幅で当該一方のフィルムの両端部まで延びるチャック上側溶着部とチャック下側溶着部とを設け、前記チャック上側溶着部はその長手方向において所定長さだけ当該一方のフィルムの内側面に溶着されないチャック側非溶着部分を有し、そのチャック側非溶着部分を除いて当該一方のフィルムの内側面にその長手方向の両端部まで溶着される一方、前記チャック下側溶着部はその長手方向における前記チャック上側溶着部のチャック側非溶着部分に相当する部分のみ当該一方のフィルムの内側面に溶着され、前記チャック上側溶着部のチャック側非溶着部分に相当する部分以外は当該一方のフィルムの内側面にその長手方向の両端部まで溶着されず、
他方のフィルムのチャック部は、
前記チャック用嵌合部の下側にのみ、所定幅で当該他方のフィルムの両側まで延びるチャック下側溶着部を設け、当該チャック下側溶着部は当該他方のフィルムの内側面にその長手方向の両端部まで溶着される一方、前記チャック用嵌合部の上側には、所定幅で当該一方のフィルムの両側まで延びるチャック上側溶着部を設けないことを特徴とするチャック付き包装袋。
【請求項３】
請求項１または請求項２に記載のチャック付き包装袋において、
前記一方のチャック部の前記チャック下側溶着部における前記チャック側非溶着部分の下方に位置する部分と、その前記チャック側非溶着部分の下方に位置する部分に対向する前記他方のチャック部の前記チャック下側溶着部の部分との少なくともいずれか一方は、他の溶着部よりも短手方向の溶着幅が大きいことを特徴とするチャック付き包装袋。
【請求項４】
請求項１〜請求項３のいずれか一の請求項に記載のチャック付き包装袋において、
前記前面フィルムと前記後面フィルムの少なくもいずれか一方には、いずれか一方のフィルムのチャック部の前記チャック上側溶着部における前記チャック側非溶着部分に指等を入れて開封できることを報知する開封報知部が設けられていることを特徴とするチャック付き包装袋。
【請求項５】
請求項１〜請求項４のいずれか一の請求項に記載のチャック付き包装袋において、
前記チャック側非溶着部分の所定長さは、
人の手の親指が挿入できるように３ｃｍ〜５ｃｍであることを特徴とするチャック付き包装袋。
【発明の詳細な説明】
【技術分野】
【０００１】
本発明は、開口部近傍の前面フィルムと後面フィルムの対向する内側面にそれぞれチャック用嵌合部を有するチャック部を設け、各チャック部のチャック用嵌合部が離間および嵌合することにより開閉するチャック付き包装袋に関する。
【背景技術】
【０００２】
従来より、開口部近傍の前面フィルムと後面フィルムそれぞれの対向する内側面に互いのチャック用嵌合部が嵌合するチャック部を設け、凹部および凸部同士の嵌合によってチャック部同士が接離して開口部を開閉自在に構成したチャック付き包装袋が提案されている。
【０００３】
このようなチャック付き包装袋には、不正開封等を防止するため、いったんチャック部同士を嵌合させて密閉した後は容易にその嵌合したチャック部同士が離れ難くなって開口部から開けることが出来ず、包装袋を切断などして開封するようにしたチャック付き包装袋が提案されている（例えば、特許文献１参照。）。
具体的には、この特許文献１のチャック付き包装袋では、前面フィルム側のチャック部は上側のみ前面フィルムの内側面に溶着する一方、後面フィルム側のチャック部は下側のみ後面フィルムの内側面に溶着している。
そのため、いったん前面フィルム側のチャック部と後面フィルム側のチャック部とを嵌合させて密閉した後は、利用者が開口部側である前面フィルムと後面フィルムとを摘んでこのチャック付き包装袋を開けようとしても、前面フィルム側のチャック部では上側にその開こうとする力が作用する一方、後面フィルム側のチャック部では下側にその力が作用するので、嵌合状態の前面フィルム側のチャック部と後面フィルム側のチャック部とにはせん断力が作用することになり、チャック付き包装袋１を容易に開けることが困難なように構成されている。
【先行技術文献】
【特許文献】
【０００４】
【特許文献１】特開２０１２−４１０８９号公報
【発明の概要】
【発明が解決しようとする課題】
【０００５】
しかしながら、前述の特許文献１のチャック付き包装袋では、上述したようにいったんチャック部同士を嵌合させて密閉した後は容易に開けることが出来ないように構成したため、子供や幼児等による内容物の誤飲や不正開封は防止できるものの、包装袋を切断などして開封する必要があるので、内容物の再封入が困難であると共に、包装袋の再利用が困難である、という問題があった。
【０００６】
そこで、本発明はこのような問題に着目してなされたもので、開け方が分かる利用者には嵌合したチャック部同士を離間させることによって当該包装袋を開けて内容物の再封入や包装袋の再利用が可能となる一方、開け方が分からない利用者には嵌合したチャック部同士を離間させて当該包装袋を
開封することを防止することができるチャック付き包装袋を提供することを目的とする。
【課題を解決するための手段】
【０００７】
上記課題を解決するため、本発明に係るチャック付き包装袋は、開口部近傍の前面フィルムと後面フィルムの対向する内側面にそれぞれチャック用嵌合部を有するチャック部を設け、各チャック部のチャック用嵌合部が離間および嵌合することにより開閉するチャック付き包装袋であって、前面フィルムと後面フィルムの内、いずれか一方のフィルムのチャック部は、前記チャック用嵌合部における開口部側である上側と底部側である下側とに、それぞれ、所定幅で当該一方のフィルムの両端部まで延びるチャック上側溶着部とチャック下側溶着部とを設け、前記チャック上側溶着部はその長手方向において所定長さだけ当該一方のフィルムの内側面に溶着されないチャック側非溶着部分を有し、そのチャック側非溶着部分を除いて当該一方のフィルムの内側面にその長手方向の両端部まで溶着される一方、前記チャック下側溶着部は当該一方のフィルムの内側面にその長手方向の両端部まで溶着され、他方のフィルムのチャック部は、前記チャック用嵌合部の下側にのみ、所定幅で当該他方のフィルムの両側まで延びるチャック下側溶着部を設け、当該チャック下側溶着部は当該他方のフィルムの内側面にその長手方向の両端部まで溶着される一方、前記チャック用嵌合部の上側には、所定幅で当該一方のフィルムの両側まで延びるチャック上側溶着部を設けないことを特徴とする。
また、本発明に係る別のチャック付き包装袋では、開口部近傍の前面フィルムと後面フィルムの対向する内側面にそれぞれチャック用嵌合部を有するチャック部を設け、各チャック部のチャック用嵌合部が離間および嵌合することにより開閉するチャック付き包装袋であって、前面フィルムと後面フィルムの内、いずれか一方のフィルムのチャック部は、前記チャック用嵌合部における開口部側である上側と底部側である下側とに、それぞれ、所定幅で当該一方のフィルムの両端部まで延びるチャック上側溶着部とチャック下側溶着部とを設け、前記チャック上側溶着部はその長手方向において所定長さだけ当該一方のフィルムの内側面に溶着されないチャック側非溶着部分を有し、そのチャック側非溶着部分を除いて当該一方のフィルムの内側面にその長手方向の両端部まで溶着される一方、前記チャック下側溶着部はその長手方向における前記チャック上側溶着部のチャック側非溶着部分に相当する部分のみ当該一方のフィルムの内側面に溶着され、前記チャック上側溶着部のチャック側非溶着部分に相当する部分以外は当該一方のフィルムの内側面にその長手方向の両端部まで溶着されず、他方のフィルムのチャック部は、前記チャック用嵌合部の下側にのみ、所定幅で当該他方のフィルムの両側まで延びるチャック下側溶着部を設け、当該チャック下側溶着部は当該他方のフィルムの内側面にその長手方向の両端部まで溶着される一方、前記チャック用嵌合部の上側には、所定幅で当該一方のフィルムの両側まで延びるチャック上側溶着部を設けないことを特徴とする。
ここで、前記一方のチャック部の前記チャック下側溶着部における前記チャック側非溶着部分の下方に位置する部分と、その前記チャック側非溶着部分の下方に位置する部分に対向する前記他方のチャック部の前記チャック下側溶着部の部分との少なくともいずれか一方は、他の溶着部よりも短手方向の溶着幅が大きいと良い。
また、前記前面フィルムと前記後面フィルムの少なくもいずれか一方には、いずれか一方のフィルムのチャック部の前記チャック上側溶着部における前記チャック側非溶着部分に指等を入れて開封できることを報知する開封報知部が設けられていると更に良い。
また、前記チャック側非溶着部分の所定長さは、人の手の親指が挿入できるように３ｃｍ〜５ｃｍであると良い。
【発明の効果】
【０００８】
本発明のチャック付き包装袋では、前面フィルムと後面フィルムの内、いずれか一方のフィルムのチャック部は、チャック用嵌合部における開口部側である上側と底部側である下側とに、それぞれ、所定幅で当該一方のフィルムの両端部まで延びるチャック上側溶着部とチャック下側溶着部とを設け、チャック上側溶着部はその長手方向において所定長さだけ当該一方のフィルムの内側面に溶着されないチャック側非溶着部分を有し、そのチャック側非溶着部分を除いて当該一方のフィルムの内側面にその長手方向の両端部まで溶着される一方、チャック下側溶着部は当該一方のフィルムの内側面にその長手方向の両端部まで溶着され、他方のフィルムのチャック部は、チャック用嵌合部の下側にのみ、所定幅で当該他方のフィルムの両側まで延びるチャック下側溶着部を設け、当該チャック下側溶着部は当該他方のフィルムの内側面にその長手方向の両端部まで溶着される一方、チャック用嵌合部の上側には、所定幅で当該一方のフィルムの両側まで延びるチャック上側溶着部を設けないように構成する。
そのため、いったんチャック部同士を嵌合させて前面フィルム側と後面フィルムとを閉めた後でも、一方のチャック部のチャック側非溶着部分に指等を入れることにより、当該一方のチャック部における開口部側とは反対側の底部側からその指先等によって外力を加えることが可能となる。
これにより、チャック部同士の嵌合によって閉められた前面フィルムと後面フィルムとを開けるため一方のチャック部のチャック側非溶着部分に指等を入れた場合、その一方のチャック部では開口部から遠い底部側から外力を加えることができ、他方のチャック部でも開口部から遠い底部側から外力を加えることができるので、嵌合しているチャック部同士を離してチャック付き包装袋を開けることが可能となる。
そのため、本発明のチャック付き包装袋によれば、チャック部のチャック側非溶着部分に指等を入れて開けるという開け方が分かる利用者には嵌合したチャック部同士を離間させることによって当該包装袋を開けて内容物の再封入や包装袋の再利用が可能となる一方、その開け方が分からない利用者には嵌合したチャック部同士を離間させて当該包装袋を開封することを防止することができる。
【図面の簡単な説明】
【０００９】
【図１】本発明に係る実施形態１のチャック付き包装袋の外観を示す正面図である。
【図２】（ａ），（ｂ）それぞれ実施形態１のチャック付き包装袋のチャック部近傍の構造を示す部分切欠正面図、部分切欠背面図である。
【図３】前面フィルムおよび後面フィルムのチャック部を嵌合させていない状態における図２（ａ）におけるＡ−Ａ線断面図である。
【図４】前面フィルムおよび後面フィルムのチャック部を嵌合させていない状態における図２（ａ）におけるＢ−Ｂ線断面図である。
【図５】前面フィルムおよび後面フィルムのチャック部を嵌合させた状態における図２（ａ）におけるＡ−Ａ線断面図である。
【図６】前面フィルムおよび後面フィルムのチャック部を嵌合させた状態における図２（ａ）におけるＢ−Ｂ線断面図である。
【図７】（ａ），（ｂ）それぞれ実施形態１のチャック付き包装袋の後面フィルムおよび前面フィルムの内側面に設けたチャック部近傍のフィルム側の溶着部を示す平面図である。
【図８】実施形態１のチャック付き包装袋のチャック部を閉める手順等を示す説明図である。
【図９】実施形態１のチャック付き包装袋における開口部を開けようとして前面フィルムおよび後面フィルムを従来通り引っ張った際のチャック部の状態を示す断面図である。
【図１０】実施形態１のチャック付き包装袋のチャック部を開ける方法を示す説明図である。
【図１１】実施形態１のチャック付き包装袋のチャック部を開けるため嵌合状態のチャック部の非溶着部分に親指を入れた状態を示す図２（ａ）におけるＢ−Ｂ線断面図である。
【図１２】実施形態２のチャック付き包装袋の後面フィルムの内側面に設けたチャック部近傍のフィルム側の溶着部を示す平面図である。
【図１３】（ａ），（ｂ）それぞれ実施形態３のチャック付き包装袋の前面フィルムおよび後面フィルムの内側面に設けたチャック部近傍のフィルム側の溶着部を示す平面図である。
【発明を実施するための形態】
【００１０】
以下、本発明にかかるチャック付き包装袋の実施形態について、図面を参照して説明する。尚、以下に説明する実施形態は、あくまで本発明の一例であり、本発明にかかるチャック付き包装袋は、本発明の技術的思想の範囲内で適宜変更可能である。
【００１１】
実施形態１.
実施形態１のチャック付き包装袋１は、図１および図２に示すように、開口部１１近傍の前面フィルム２と後面フィルム３それぞれの対向する内側面２ａ，３ａにそれぞれチャック部４，５を溶着し、チャック部４，５同士が嵌合することにより接離、すなわち接合および離脱して、チャック部４，５同士が嵌合した場合にはチャック付き包装袋１内部を密封できるように構成したものである。なお、前面フィルム２と後面フィルム３は、それらの左右両端部２１，３１と底部２２，３２において所定幅で熱溶着（ヒートシール）等によって溶着され、上端部のみ溶着せずに開口部１１を形成している。
【００１２】
つまり、後面フィルム３のチャック部５は、図２（ａ）や図３〜図６に示すように後面フィルム３の内側面３ａに左右両端部３１，３１まで帯状（テープ状）に溶着したもので、上下方向に一定間隔を空けて左右両端部３１，３１まで帯状に延び内側面２ａに溶着される開口部１１側（上側）のチャック上側溶着部５ａおよび底部側（下側）のチャック下側溶着部５ｂと、そのチャック上側溶着部５ａおよびチャック下側溶着部５ｂの間に挟まれ、左右両端部３１，３１まで帯状に延び内側面３ａに溶着されないチャック用嵌合部５ｃを有している。
【００１３】
チャック用嵌合部５ｃは、図３〜図６に示すようにその短手方向、すなわち上下方向に、前面フィルム２側のチャック部４のメス型チャック用嵌合部４ｃ２に嵌り合うオス型チャック用嵌合部５ｃ１と、チャック部４のオス型チャック用嵌合部４ｃ１に嵌り合うメス型チャック用嵌合部５ｃ２とを一定間隔だけ離して交互に設けて構成されている。尚、この実施形態では、前面フィルム２側のチャック部４の構成に応じて、オス型チャック用嵌合部５ｃ１を２列と、１列のメス型チャック用嵌合部５ｃ２を設けているが、本発明でこれに限定されるものではない。
【００１４】
一方、前面フィルム２のチャック部４は、図２（ｂ）や図３〜図６に示すように、前面フィルム２の内側面２ａに左右両端部２１，２１まで帯状（テープ状）に延びて設けられるもので、上述した後面フィルム３のチャック部５とは異なりチャック上側溶着部をカットあるいは当初から設けずに省略しており、左右両端部２１，２１まで帯状に延び内側面２ａに溶着されないチャック用嵌合部４ｃと、左右両端部２１，２１まで帯状に延び開口部１１に対しチャック用嵌合部４ｃの底部２２側、すなわち下側に設けられるチャック下側溶着部４ｂを有している。
【００１５】
チャック用嵌合部４ｃは、図３〜図６に示すようにその短手方向、すなわち上下方向に、後面フィルム３のチャック部５のメス型チャック用嵌合部５ｃ２に嵌り合うオス型チャック用嵌合部４ｃ１と、後面フィルム３のチャック部５のオス型チャック用嵌合部５ｃ１に嵌り合うメス型チャック用嵌合部４ｃ２とを一定間隔だけ離して交互に設けて構成されている。尚、この実施形態では、前面フィルム２側のチャック部４に、メス型チャック用嵌合部４ｃ２を２列と、１列のオス型チャック用嵌合部４ｃ１を設けているが、本発明でこれに限定されるものではない。
【００１６】
そのため、前面フィルム２側のチャック部４と、後面フィルム３側のチャック部５とを嵌合させたり、引き離すと、それぞれ対向するチャック部４のオス型チャック用嵌合部４ｃ１およびメス型チャック用嵌合部４ｃ２と、チャック部５のメス型チャック用嵌合部５ｃ２およびオス型チャック用嵌合部５ｃ１が、図３および図４に示すように離脱したり、図５および図６に示すように嵌合して（咬み合って）、このチャック付き包装袋１を開封したり、閉塞することができる。
【００１７】
図７（ａ）は、後面フィルム３の内側面３ａにおける開口部１１近傍の内側面溶着部を示しており、３１ａ，３１ａは前面フィルム２の左右両端部２１，２１の前面フィルム両側溶着部２１ａ，２１ａとの溶着部である後面フィルム両側溶着部、３５ａはチャック部５のチャック上側溶着部５ａとの溶着部である後面フィルム上側溶着部、３５ｂはチャック部５のチャック下側溶着部５ｂとの溶着部である後面フィルム下側溶着部を示している。また、３５ｄは、チャック上側溶着部５ａのチャック側非溶着部分５ｄに対向する後面フィルム３の内側面３ａのフィルム側非溶着部分である。
【００１８】
そのため、本実施形態１の後面フィルム３のチャック部５では、チャック用嵌合部５ｃの底部側（下側）に位置するチャック下側溶着部５ｂは、図７（ａ）に示すように、後面フィルム３の内側面３ａの後面フィルム下側溶着部３５ｂに両端部３１，３１の後面フィルム両側溶着部３１ａ，３１ａまで溶着される一方、チャック用嵌合部５ｃの開口部１１側（上側）に位置するチャック上側溶着部５ａは、その長手方向において所定長さだけ溶着されないチャック側非溶着部分５ｄを除いて、内側面３ａの後面フィルム上側溶着部３５ａに両端部３１，３１の後面フィルム両側溶着部３１ａ，３１ａまで溶着される。
【００１９】
ここで、チャック側非溶着部分５ｄの長さは、人の手の親指が挿入できるように例えば３ｃｍ〜５ｃｍ程度確保して、後面フィルム３の内側面３ａ、すなわちフィルム側非溶着部分３５ｄに溶着しないようにしている。これは、３ｃｍ未満では親指が挿入し難くなるため３ｃｍ以上が望ましい一方、５ｃｍより大きいと意図しない開封がされてしまう可能性があるからである。ただし、３ｃｍ〜５ｃｍはあくまで一例である。これにより、このチャック付き包装袋１の利用者は、後述する図１０や図１１に示すように親指などを後面フィルム３側のチャック部５のチャック側非溶着部分５ｄと、後面フィルム３の内側面３ａのフィルム側非溶着部分３５ｄとの間から挿入して、後述する図１１に示すように指先をチャック側非溶着部分５ｄの下方のチャック用嵌合部５ｃの下端まで挿入することができる。
【００２０】
図７（ｂ）は、前面フィルム２における開口部１１近傍の溶着部を示しており、図７（ｂ）において、２１ａ，２１ａは後面フィルム３の左右両端部３１，３１の後面フィルム両側溶着部３１ａ，３１ａとの溶着部である前面フィルム両側溶着部、２４ｂはチャック部４のチャック下側溶着部４ｂとの溶着部である前面フィルム下側溶着部を示している。
【００２１】
そのため、本実施形態１の前面フィルム２のチャック部４では、チャック用嵌合部４ｃの底部２２側（下側）に位置するチャック下側溶着部４ｂが前面フィルム２の内側面２ａの前面フィルム下側溶着部２４ｂに左右両側の両端部２１，２１まで溶着されるが、チャック用嵌合部４ｃの開口部１１側（上側）には、チャック上側溶着部はカット等されて設けられていないため、前面フィルム２の内側面２ａに溶着されない。尚、上述したように、前面フィルム２のチャック用嵌合部４ｃは、後面フィルム３のチャック用嵌合部５ｃと同様に、前面フィルム２の内側面２ａに溶着されない。
【００２２】
また、本実施形態１のチャック付き包装袋１では、図１や図２（ａ），（ｂ）、図４、図６等に示すように、後面フィルム３のフィルム側非溶着部分３５ｄの外側面側と、そのフィルム側非溶着部分３５ｄおよびチャック側非溶着部分５ｄに対向する前面フィルム２の外側面側には、それぞれ、後面フィルム３のチャック部５のチャック上側溶着部５ａにおけるチャック側非溶着部分５ｄと、後面フィルム３のフィルム側非溶着部分３５ｄとの間に指等を入れて開封できることを利用者に報知する本発明の開封報知部としてフィルム２，３表面の色とは異なる色で着色された着色部２３，３３を設けている。例えば、前面フィルム２および後面フィルム３の白色や透明な場合、着色部２３，３３は赤色や青色等の目立つ色で着色されている。
【００２３】
これにより、このチャック付き包装袋１の利用者は、着色部２３，３３を手掛かりとして後面フィルム３側のチャック部５のチャック側非溶着部分５ｄと、後面フィルム３のフィルム側非溶着部分３５ｄ（図７（ａ）参照。）の場所などが認識でき、チャック側非溶着部分５ｄとフィルム側非溶着部分３５ｄとの間に指等を入れてチャック付き包装袋１を容易に開封することができる。ただし、本発明では、本発明の開封報知部である着色部２３，３３は省略しても良いし、後述するように文字や矢印等の図形、さらにはポケット等を設けて開け方を示すカード等を入れておいても良い。
【００２４】
＜実施形態１のチャック付き包装袋１の機能＞
次に、以上のように構成された実施形態１のチャック付き包装袋１の機能について説明する。
【００２５】
（チャック付き包装袋１を密閉する場合）
この場合は、図８に示す如く従来通り、前面フィルム２側のチャック部４と、後面フィルム３側のチャック部５とを指で押圧する。
【００２６】
すると、図５や図６に示すように、前面フィルム２側のチャック用嵌合部４ｃのオス型チャック用嵌合部４ｃ１およびメス型チャック用嵌合部４ｃ２と、後面フィルム３側のチャック用嵌合部５ｃのメス型チャック用嵌合部５ｃ２およびオス型チャック用嵌合部５ｃ１とが嵌合して、チャック付き包装袋１を閉塞することができる。
【００２７】
（密閉状態のチャック付き包装袋１を通常に開けようとした場合）
チャック付き包装袋１の密閉後は、開口部１１側の前面フィルム２上端部と、後面フィルム３上端部とを摘んでチャック付き包装袋１を開けようとして、前面フィルム２と後面フィルム３とを広げる方向に引っ張った場合、実施形態１のチャック付き包装袋１では、後面フィルム３側のチャック部５では、チャック側非溶着部分５ｄを除いて少なくともチャック用嵌合部５ｃの上下両側のチャック上側溶着部５ａおよびチャック下側溶着部５ｂが後面フィルム３の内側面３ａに溶着されているのに対し、前面フィルム２側のチャック部４では、図３〜図６に示すようにチャック上側溶着部が存在せず、チャック下側溶着部４ｂのみが前面フィルム２の内側面２ａに溶着されているため、図９に示すように、後面フィルム３側のチャック部５のチャック用嵌合部５ｃと前面フィルム２側のチャック部４のチャック用嵌合部４ｃとは嵌合したまま後面フィルム３側のチャック部５に沿ってズレる方向の外力が作用して、前面フィルム２側のチャック部４のチャック用嵌合部４ｃ下部と、前面フィルム２との間、すなわちチャック部４のチャック下側溶着部４ｂの上端部と前面フィルム２の内側面２ａの前面フィルム下側溶着部２４ｂの上端部との境界部分に開こうとする外力が作用することになる。
【００２８】
その結果、本実施形態のチャック付き包装袋１では、密閉状態のチャック付き包装袋１を従来通り開けようとした場合には、上述の特許文献１に記載されたチャック付き包装袋と同様に、後面フィルム３側のチャック部５のチャック用嵌合部５ｃと前面フィルム２側のチャック部４のチャック用嵌合部４ｃとの間に開こうとする力が作用せず、開けることができないため、子供等の開け方が分からない利用者に対しては、嵌合したチャック部４，５同士を離間させてこのチャック付き包装袋１の開封を確実に防止できる。
【００２９】
（密閉状態のチャック付き包装袋１を開ける場合）
これに対し、チャック付き包装袋１の密閉後、密閉状態のチャック付き包装袋１を開けるためには、前面フィルム２と後面フィルム３に本発明の開封報知部として設けた着色部２３，３３に基づいて、図１０に示すように、後面フィルム３側のチャック部５のチャック用嵌合部５ｃにおけるチャック側非溶着部分５ｄと、後面フィルム３の内側面３ａのフィルム側非溶着部分３５ｄ（図７（ａ）参照。）との間の隙間に親指などを入れる。
【００３０】
すると、図１１に示すように、親指の指先（先端部）が後面フィルム３側のチャック部５のチャック用嵌合部５ｃにおけるチャック側非溶着部分５ｄと、後面フィルム３の内側面３ａのフィルム側非溶着部分３５ｄ（図７（ａ）参照。）との間の隙間を通って、後面フィルム３側のチャック部５のチャック用嵌合部５ｃの下側、すなわちチャック用嵌合部５ｃとチャック下側溶着部５ｂとの境界部分と、後面フィルム３の内側面３ａの後面フィルム下側溶着部３５ｂ（図７（ａ）参照。）の上部まで届くため、後面フィルム３側のチャック部５のチャック側非溶着部分５ｄでは、チャック用嵌合部５ｃの最下段のオス型チャック用嵌合部５ｃ１から開けようとする力を作用させることができる。
【００３１】
一方、前面フィルム２側のチャック部４では、上述したようにチャック下側溶着部４ｂのみが前面フィルム２の内側面２ａに溶着されていることからチャック付き包装袋１を開けようとした場合、図９に示すようにチャック用嵌合部４ｃの最下段のメス型チャック用嵌合部４ｃ２から開けようとする力を作用させることができる。
【００３２】
そのため、実施形態１のチャック付き包装袋１では、後面フィルム３側のチャック部５のチャック用嵌合部５ｃにおけるチャック側非溶着部分５ｄと、後面フィルム３の内側面３ａのフィルム側非溶着部分３５ｄ（図７（ａ）参照。）との間の隙間に親指などを入れて前面フィルム２と後面フィルム３とを広げる方向に引っ張ることによって、嵌合している後面フィルム３側のチャック部５のチャック用嵌合部５ｃの最下段のオス型チャック用嵌合部５ｃ１と、前面フィルム２側のチャック部４のチャック用嵌合部４ｃの最下段のメス型チャック用嵌合部４ｃ２との間に開こうとする力が作用して離間し、次いでチャック部５のチャック用嵌合部５ｃの中段のメス型チャック用嵌合部５ｃ２と、チャック部４のチャック用嵌合部４ｃの中段のオス型チャック用嵌合部４ｃ１が開き、最後にチャック部５のチャック用嵌合部５ｃの最上段のオス型チャック用嵌合部５ｃ１と、チャック部４のチャック用嵌合部４ｃの最上段のメス型チャック用嵌合部４ｃ２とが開いて、嵌合しているチャック用嵌合部５ｃとチャック用嵌合部４ｃとを引き離すことができる。
【００３３】
これにより、実施形態１のチャック付き包装袋１によれば、当該チャック付き包装袋１の開け方が分かる利用者は、後面フィルム３側のチャック部５のチャック側非溶着部分５ｄと、後面フィルム３の内側面３ａのフィルム側非溶着部分３５ｄ（図７（ａ）参照。）との間の隙間に親指などを入れて開けることによって、チャック側非溶着部分５ｄおよびフィルム側非溶着部分３５ｄからチャック付き包装袋１の開閉が可能となり、内容物の再封入や包装袋の再利用が可能となるのに対し、その開け方が分からない幼児等の利用者にとっては当該包装袋１を開封することを防止することができる。
【００３４】
特に、本実施形態１のチャック付き包装袋１では、図１や図２（ａ），（ｂ）、図４、図６等に示すように、後面フィルム３のフィルム側非溶着部分３５ｄの外側面側と、そのフィルム側非溶着部分３５ｄおよびチャック側非溶着部分５ｄに対向する前面フィルム２の外側面側には、それぞれ、本発明の開封報知部としてフィルム２，３表面の色とは異なる色で着色された着色部２３，３３を設けたため、チャック付き包装袋１の利用者に対しチャック側非溶着部分５ｄとフィルム側非溶着部分３５ｄの位置を報知することが可能となる。
【００３５】
また、本実施形態１のチャック付き包装袋１では、チャック部５のチャック用嵌合部５ｃにおけるチャック側非溶着部分５ｄの所定長さは、３ｃｍ〜５ｃｍ確保している。そのため、人間の親指を挿入できる幅で、このチャック付き包装袋１を開ける際に力が入れ易くなり、このチャック付き包装袋１を容易に開けることができると共に、意図しない開封も極力防止できる。
【００３６】
尚、上記実施形態１の説明では、後面フィルム３側のチャック部５のチャック上側溶着部５ａにチャック側非溶着部分５ｄを設け、チャック側非溶着部分５ｄを除いてチャック用嵌合部５ｃの上下両側のチャック上側溶着部５ａおよびチャック下側溶着部５ｂが後面フィルム３の内側面３ａに溶着する一方、前面フィルム２側のチャック部４ではチャック下側溶着部４ｂのみ前面フィルム２の内側面２ａに溶着するように説明したが、本発明では、これとは反対に、前面フィルム２側のチャック部４にチャック上側溶着部を設けると共に、チャック側非溶着部分を設け、そのチャック側非溶着部分を除いてチャック用嵌合部４ｃの上下両側を前面フィルム２の内側面２ａに溶着する一方、後面フィルム３側のチャック部５ではチャック上側溶着部５ａはカット等してチャック下側溶着部５ｂのみ後面フィルム３の内側面３ａに溶着するように構成しても勿論良い。尚、このことは、後述する他の実施形態でも同様である。
【００３７】
また、上記実施形態１の説明では、本発明の開封報知部として、図１や図２（ａ），（ｂ）、図４、図６等に示すように、後面フィルム３のフィルム側非溶着部分３５ｄの外側面側と、そのフィルム側非溶着部分３５ｄおよびチャック側非溶着部分５ｄに対向する前面フィルム２の外側面側に、それぞれ、チャック側非溶着部分５ｄとフィルム側非溶着部分３５ｄとの位置等を示す着色部２３，３３を設けて説明したが、本発明では、これに限らず、例えば、文字や矢印等の図形によって後面フィルム３のチャック部５のチャック上側溶着部５ａにおけるチャック側非溶着部分５ｄと、後面フィルム３のフィルム側非溶着部分３５ｄの位置や開け方等を利用者に報知するようにしても良いし、さらには後面フィルム３や前面フィルム２の外側面側に例えばポケットを設けて、そのポケットの中にチャック側非溶着部分５ｄとフィルム側非溶着部分３５ｄとの間に指等を入れて開封する開け方を利用者に報知するカード等を挿入可能に構成しても勿論良い。
【００３８】
実施形態２．
上記実施形態１のチャック付き包装袋１では、チャック部５の上側のチャック上側溶着部５ａにチャック側非溶着部分５ｄを設ける後面フィルム３側では、チャック部５の下側のチャック下側溶着部５ｂを、後面フィルム３の内側面３ａにおける左右両端部３１，３１の後面フィルム両側溶着部３１ａ，３１ａまで延びる後面フィルム下側溶着部３５ｂに溶着して、後面フィルム３側のチャック部５のチャック用嵌合部５ｃと、前面フィルム２側のチャック部４のチャック用嵌合部４ｃとを嵌合させた場合には、チャック付き包装袋１を密閉できるように説明したが、実施形態２のチャック付き包装袋１では、チャック部５の下側のチャック下側溶着部５ｂを、後面フィルム３の内側面３ａの左右両端部３１，３１まで溶着せずに、後面フィルム３側のチャック部５のチャック用嵌合部５ｃと、前面フィルム２側のチャック部４のチャック用嵌合部４ｃとを嵌合させてもチャック付き包装袋１を密閉しないようにしたことを特徴とする。尚、前面フィルム２側の構成は、上記実施形態１のチャック付き包装袋１の前面フィルム２の構成と同じである。
【００３９】
図１２は、実施形態２のチャック付き包装袋１の後面フィルム３における開口部１１近傍の溶着部を示しており、３５ａはチャック部５のチャック上側溶着部５ａとの溶着部である後面フィルム上側溶着部，３５ｄは、チャック上側溶着部５ａのチャック側非溶着部分５ｄに対向する後面フィルム３の内側面３ａのフィルム側非溶着部分であり、後面フィルム上側溶着部３５ａおよびフィルム側非溶着部分３５ｄは、図７（ａ）に示す実施形態１のチャック付き包装袋１と同様である。
【００４０】
しかし、実施形態２のチャック付き包装袋１の後面フィルム３側の後面フィルム下側溶着部３５ｂは、図７（ａ）に示す実施形態１のチャック付き包装袋１の後面フィルム下側溶着部３５ｂとは異なり、図１２に示すようにフィルム側非溶着部分３５ｄの下方にだけ設け、チャック部５のチャック下側溶着部５ｂとの間で左右両端部３１，３１の後面フィルム両側溶着部３１ａ，３１ａまで溶着しない。
【００４１】
つまり、実施形態２のチャック付き包装袋１における後面フィルム３側では、チャック用嵌合部５ｃの上側ではチャック側非溶着部分５ｄとフィルム側非溶着部分３５ｄとの間に隙間が設けられる一方、チャック用嵌合部５ｃの下側ではフィルム側非溶着部分３５ｄの下方の短い後面フィルム下側溶着部３５ｂ以外ではチャック部５のチャック下側溶着部５ｂと溶着されず隙間が設けられることになる。
【００４２】
そのため、実施形態２のチャック付き包装袋１では、前面フィルム２側のチャック部４のチャック用嵌合部４ｃと、後面フィルム３側のチャック部５のチャック用嵌合部５ｃとを嵌合させても、後面フィルム３側では、チャック用嵌合部５ｃの上下両側にそれぞれ非溶着部分による隙間が空くので、密閉できない。
【００４３】
従って、実施形態２のチャック付き包装袋１によれば、前面フィルム２側のチャック部４のチャック用嵌合部４ｃと、後面フィルム３側のチャック部５のチャック用嵌合部５ｃとを嵌合させても、密閉することができないものの、フィルム側非溶着部分３５ｄの下方に後面フィルム下側溶着部３５ｂが設けられているため、実施形態１のチャック付き包装袋１と同様に、後面フィルム３の内側面３ａに溶着されていないチャック側非溶着部分５ｄとフィルム側非溶着部分３５ｄとの間の隙間に親指などを入れて、開口部１１側の前面フィルム２と後面フィルム３とを広げる方向に引っ張ることによって、チャック側非溶着部分５ｄのチャック用嵌合部５ｃとチャック用嵌合部４ｃとから開けることができる。
【００４４】
その結果、実施形態２のチャック付き包装袋１によっても、実施形態１のチャック付き包装袋１と同様に、開け方が分かる利用者はチャック側非溶着部分５ｄとフィルム側非溶着部分３５ｄとの間の隙間に親指などを入れてチャック付き包装袋１の開閉が可能となり、内容物の再封入や包装袋の再利用が可能となるのに対し、その開け方が分からない利用者にとっては嵌合したチャック部４，５同士を離間させて当該包装袋１を開封することを防止することができる。
【００４５】
実施形態３．
実施形態３のチャック付き包装袋１では、上記実施形態１のチャック付き包装袋１の前面フィルム２側のフィルム下側溶着部２４ｂ、および後面フィルム３側のフィルム下側溶着部３５ｂの構成を若干変更したものである。
【００４６】
つまり、実施形態３のチャック付き包装袋１では、図１３（ｂ）に示すように、チャック側非溶着部分５ｄを設ける後面フィルム３側の後面フィルム下側溶着部３５ｂの内、チャック側非溶着部分５ｄの下方に位置する後面フィルム下側溶着部３５ｂ１は、他の後面フィルム下側溶着部３５ｂ２，３５ｂ３よりも短手方向、すなわち図上上下方向の溶着幅を大きくして、チャック付き包装袋１を開封する際、後面フィルム下側溶着部３５ｂ１の部分に力がかかり易くなると共に、後面フィルム下側溶着部３５ｂ１の部分に大きな力をかけても後面フィルム下側溶着部３５ｂ１の部分が後面フィルム３内側面から剥がれ難くなるように構成する。
【００４７】
同様に、チャック側非溶着部分５ｄが設けられていない前面フィルム２側では、図１３（ａ）に示すように、前面フィルム下側溶着部２４ｂの内、後面フィルム３側の後面フィルム下側溶着部３５ｂ１に対向する前面フィルム下側溶着部２４ｂ１も、他の前面フィルム下側溶着部２４ｂ２，２４ｂ３よりも短手方向、すなわち図上上下方向の溶着幅を大きくして前面フィルム下側溶着部２４ｂ１の部分に力がかかり易くなると共に、前面フィルム下側溶着部２４ｂ１の部分に大きな力をかけても前面フィルム下側溶着部２４ｂ１の部分が前面フィルム２内側面から剥がれ難くなるように構成する。
【００４８】
そのため、実施形態３のチャック付き包装袋１によれば、チャック付き包装袋１を開封する際、指を入れるチャック側非溶着部分５ｄの下方に位置する後面フィルム下側溶着部３５ｂ１や前面フィルム下側溶着部２４ｂ１の部分に力をかけ易くなると共に、大きな力をかけても後面フィルム下側溶着部３５ｂ１や前面フィルム下側溶着部２４ｂ１が剥がれ難くなるので、このチャック付き包装袋１を開封し易くすることが出来ると共に、耐久性を向上させることができる。
【００４９】
特に、後面フィルム下側溶着部３５ｂ１や前面フィルム下側溶着部２４ｂ１では、それらの図上上側を、それら以外の後面フィルム下側溶着部３５ｂ２，３５ｂ３や前面フィルム下側溶着部２４ｂ２，２４ｂ３の図上上側よりも突出させて短手方向、すなわち図上上下方向の溶着幅を大きくしている。
【００５０】
そのため、実施形態３のチャック付き包装袋１によれば、後面フィルム下側溶着部３５ｂ１や前面フィルム下側溶着部２４ｂ１は、後面フィルム下側溶着部３５ｂ２，３５ｂ３や前面フィルム下側溶着部２４ｂ２，２４ｂ３よりも上端部が後面フィルム３側のチャック部５下段のオス型チャック用嵌合部５ｃ１や前面フィルム２側のチャック部４下段のメス型チャック用嵌合部４ｃ２に近付くので、チャック側非溶着部分５ｄに指を入れて開封する際、後面フィルム下側溶着部３５ｂ１上方のオス型チャック用嵌合部５ｃ１や前面フィルム下側溶着部２４ｂ１上方のメス型チャック用嵌合部４ｃ２に力がかかり易くなり、この点でも、チャック付き包装袋１をより開封し易く構成することが出来る。
【００５１】
尚、この実施形態３の説明では、図１３（ａ），（ｂ）に示すように、後面フィルム下側溶着部３５ｂ１および前面フィルム下側溶着部２４ｂ１の図上上側を突出させることによって後面フィルム下側溶着部３５ｂおよび前面フィルム下側溶着部２４ｂの他の部分より短手方向、すなわち図上上下方向の溶着幅を大きく形成したが、後面フィルム下側溶着部３５ｂ１および前面フィルム下側溶着部２４ｂ１の図上下側を突出させることによって後面フィルム下側溶着部３５ｂおよび前面フィルム下側溶着部２４ｂの他の部分より短手方向、すなわち図上上下方向の溶着幅を大きく形成しても勿論良い。但し、この場合には、後面フィルム下側溶着部３５ｂ１や前面フィルム下側溶着部２４ｂ１の上端部は、それら以外の後面フィルム下側溶着部３５ｂ２，３５ｂ３や前面フィルム下側溶着部２４ｂ２，２４ｂ３の上端部と同じ高さとなるので、後面フィルム下側溶着部３５ｂ１および前面フィルム下側溶着部２４ｂ１の上端部がそれら以外の後面フィルム下側溶着部３５ｂ２，３５ｂ３や前面フィルム下側溶着部２４ｂ２，２４ｂ３の上端部よりも後面フィルム３側のチャック部５下段のオス型チャック用嵌合部５ｃ１や前面フィルム２側のチャック部４下段のメス型チャック用嵌合部４ｃ２に近付くことによるチャック付き包装袋１をより開封し易くなる効果は得られないものの、後面フィルム下側溶着部３５ｂ１や前面フィルム下側溶着部２４ｂ１の上下方向の幅はそれ以外の後面フィルム下側溶着部３５ｂ２，３５ｂ３や前面フィルム下側溶着部２４ｂ２，２４ｂ３よりも大きいため、後面フィルム下側溶着部３５ｂ１や前面フィルム下側溶着部２４ｂ１に大きな力をかけ易いと共に剥がれ難く、チャック付き包装袋１を開封し易くすることが出来ると共に、耐久性を向上させることができる。
【００５２】
また、上記実施形態１〜３の説明では、前面フィルム２と後面フィルム３とから構成されたチャック付き包装袋１を一例に説明したが、本発明では、この構成に限らず、サイドガゼットや底ガゼット付きのチャック付き包装袋でも良いし、前面フィルム２や後面フィルム３等の包装袋の材質には特にこだわらず、開口部１１近傍に前面フィルム２および後面フィルム３にそれぞれチャック部４，５を設けたチャック部５付きの包装袋であれば当然に適用可能である。
【００５３】
また、上記実施形態１〜３の説明では、前面フィルム２と後面フィルム３のチャック部４，５は、それぞれ、オス型チャック用嵌合部４ｃ１，５ｃ１とメス型チャック用嵌合部４ｃ２，５ｃ２とを合せて３列ずつ設けて説明したが、本発明では、これに限らず、オス型チャック用嵌合部４ｃ１，５ｃ１またはメス型チャック用嵌合部４ｃ２，５ｃ２の一方をそれぞれ一列設けたシングルチャックでも、あるいはオス型チャック用嵌合部４ｃ１，５ｃ１とメス型チャック用嵌合部４ｃ２，５ｃ２とをそれぞれ一列ずつ設けたダブルチャックでも、さらにはオス型チャック用嵌合部４ｃ１，５ｃ１とメス型チャック用嵌合部４ｃ２，５ｃ２とを合せて４列以上設けるように構成しても勿論良い。
【符号の説明】
【００５４】
１  チャック付き包装袋
２  前面フィルム
２ａ  内側面
３  後面フィルム
３ａ  内側面
４  チャック部
４ｂ  チャック下側溶着部
４ｃ  チャック用嵌合部
４ｃ１  オス型チャック用嵌合部
４ｃ２  メス型チャック用嵌合部
５  チャック部
５ａ  チャック上側溶着部
５ｂ  チャック下側溶着部
５ｃ  チャック用嵌合部
５ｃ１  オス型チャック用嵌合部
５ｃ２  メス型チャック用嵌合部
５ｄ  チャック側非溶着部分
１１  開口部
２１，３１  左右両端部
２１ａ  前面フィルム両側溶着部
２２，３２  底部
２３，３３  着色部
２４ｂ，２４ｂ１，２４ｂ２，２４ｂ３  前面フィルム下側溶着部
３１ａ  後面フィルム両側溶着部
３５ａ  後面フィルム上側溶着部
３５ｂ，３５ｂ１，３５ｂ２，３５ｂ３  後面フィルム下側溶着部
３５ｄ  フィルム側非溶着部分
【図１】
2019026374.tif 000003
【図２】
2019026374.tif 000004
【図３】
2019026374.tif 000005
【図４】
2019026374.tif 000006
【図５】
2019026374.tif 000007
【図６】
2019026374.tif 000008
【図７】
2019026374.tif 000009
【図８】
2019026374.tif 000010
【図９】
2019026374.tif 000011
【図１０】
2019026374.tif 000012
【図１１】
2019026374.tif 000013
【図１２】
2019026374.tif 000014
【図１３】
2019026374.tif 000015